(57)【要約】【課題】運転状況を判定して客観的に説明することで運転者のストレスを軽減する。【解決手段】運転状況通知装置１００の運転状況取得部１７は、車両の走行情報を含む運転者の運転状況を取得する。音声認識部１６は、車両内の音声に同乗者の指摘音声が含まれるかどうかを判定する。音声出力部１８は、運転者の運転状況に基づく運転者の運転パターンの判定結果と、同乗者が運転者の運転パターンで過去に運転したことがあるかどうかを含む同乗者運転情報とに基づいて生成される運転状況説明を音声で出力する。【選択図】図１
2020160682.tif 000002
【特許請求の範囲】
【請求項１】
車両の走行情報を含む運転者の運転状況を取得する運転状況取得部と、
前記車両内の音声に同乗者の指摘音声が含まれるかどうかを判定する音声認識部と、
前記運転者の前記運転状況に基づく前記運転者の運転パターンの判定結果と、前記同乗者が前記運転者の前記運転パターンで過去に運転したことがあるかどうかを含む同乗者運転情報とに基づいて生成される運転状況説明を音声で出力する音声出力部と、を備えることを特徴とする運転状況通知装置。
【請求項２】
前記運転者の前記運転状況は前記車両の位置情報をさらに含み、
前記同乗者運転情報は、前記同乗者が前記車両の前記位置情報が示す位置で前記運転者の前記運転パターンで過去に運転したことがあるかどうかを含むことを特徴とする請求項１に記載の運転状況通知装置。
【請求項３】
車両の運転者毎に運転状況を蓄積したデータベースと、
前記車両の走行情報を含む運転者の運転状況に基づいて前記運転者の運転パターンを判定するとともに、同乗者識別情報に基づいて前記データベースに蓄積された前記運転状況を参照して前記同乗者が前記運転者の前記運転パターンで過去に運転したことがあるかどうかを含む同乗者運転情報を抽出する運転状況判定部と、
前記運転者の前記運転パターンの判定結果と前記同乗者運転情報に基づいて運転状況説明を生成する運転状況説明生成部と、を備えることを特徴とする運転状況判定装置。
【請求項４】
前記運転状況説明生成部は、前記同乗者運転情報が前記運転者の前記運転パターンで前記同乗者が運転したことがあることを含む場合、前記運転状況説明に前記同乗者が前記運転者の前記運転パターンで過去に運転したことがある旨を含めて前記運転状況説明を生成することを特徴とする請求項３に記載の運転状況判定装置。
【請求項５】
運転状況通知装置と運転状況判定装置がネットワークを介して接続された運転状況説明システムであって、
前記運転状況通知装置は、
車両内の音声に同乗者の指摘音声が含まれるかどうかを判定する音声認識部と、
前記車両内の音声に同乗者の指摘音声が含まれる場合、車両の走行情報を含む運転者の運転状況と運転者識別情報と同乗者識別情報を取得して、前記運転状況判定装置に送信する運転状況取得部と、
前記運転状況判定装置から受信された運転状況説明を音声で出力する音声出力部と、を備え、
前記運転状況判定装置は、
前記車両の運転者毎に運転状況を蓄積したデータベースと、
前記運転状況通知装置から受信された前記運転者の前記運転状況に基づいて前記運転者の運転パターンを判定するとともに、前記同乗者識別情報に基づいて前記データベースに蓄積された前記運転状況を参照して前記同乗者が前記運転者の前記運転パターンで過去に運転したことがあるかどうかを含む同乗者運転情報を抽出する運転状況判定部と、
前記運転者の前記運転パターンの判定結果と前記同乗者運転情報に基づいて運転状況説明を生成し、前記運転状況通知装置に送信する運転状況説明生成部と、を備えることを特徴とする運転状況説明システム。
【請求項６】
車両の走行情報を含む運転者の運転状況に基づいて前記運転者の運転パターンを判定するとともに、車両の運転者毎に運転状況を蓄積したデータベースを同乗者識別情報に基づいて参照して、前記同乗者が前記運転者の前記運転パターンで過去に運転したことがあるかどうかを含む同乗者運転情報を抽出する運転状況判定ステップと、
前記運転者の前記運転パターンの判定結果と前記同乗者運転情報に基づいて運転状況説明を生成する運転状況説明生成ステップと、を備えることを特徴とする運転状況判定方法。
【請求項７】
車両の走行情報を含む運転者の運転状況に基づいて前記運転者の運転パターンを判定するとともに、車両の運転者毎に運転状況を蓄積したデータベースを同乗者識別情報に基づいて参照して、前記同乗者が前記運転者の前記運転パターンで過去に運転したことがあるかどうかを含む同乗者運転情報を抽出する運転状況判定ステップと、
前記運転者の前記運転パターンの判定結果と前記同乗者運転情報に基づいて運転状況説明を生成する運転状況説明生成ステップと、をコンピュータに実行させることを特徴とする運転状況判定プログラム。
【発明の詳細な説明】
【技術分野】
【０００１】
本発明は、運転状況を説明する技術に関する。
【背景技術】
【０００２】
車の運転中、運転者は様々な要因でストレスを募らせることがあり、安全運転に支障を来すことがある。特に運転中に同乗者に自分の運転内容に対して指摘や注意を受けた運転者は感情的になったり、イライラしたりすることが多く、同乗者と口論になるなど、安全運転の妨げになる。
【０００３】
特許文献１には、運転者の生体情報や運転状態から運転者の心理状態を判断し、イライラが検出された場合、リラックス効果を与えてイライラを抑制する車両用ストレス解消装置が開示されている。
【先行技術文献】
【特許文献】
【０００４】
【特許文献１】特開２０１７−８８０３７号公報
【発明の概要】
【発明が解決しようとする課題】
【０００５】
運転者のイライラを抑制するために音楽を流したり、リラックス効果をもつ香料を放ったりなどの手段を講ずることができるが、運転者のイライラの原因を根本的に解消することはできない。
【０００６】
本発明はこうした状況に鑑みてなされたものであり、その目的は、運転状況を判定して客観的に説明することで運転者のストレスを軽減することのできる運転状況説明技術を提供することにある。
【課題を解決するための手段】
【０００７】
上記課題を解決するために、本発明のある態様の運転状況通知装置（１００）は、車両の走行情報を含む運転者の運転状況を取得する運転状況取得部（１７）と、前記車両内の音声に同乗者の指摘音声が含まれるかどうかを判定する音声認識部（１６）と、前記運転者の前記運転状況に基づく前記運転者の運転パターンの判定結果と、前記同乗者が前記運転者の前記運転パターンで過去に運転したことがあるかどうかを含む同乗者運転情報とに基づいて生成される運転状況説明を音声で出力する音声出力部（１８）と、を備える。
【０００８】
本発明のさらに別の態様は、運転状況判定装置（２００）である。この装置は、車両の運転者毎に運転状況を蓄積したデータベース（３２）と、前記車両の走行情報を含む運転者の運転状況に基づいて前記運転者の運転パターンを判定するとともに、同乗者識別情報に基づいて前記データベースに蓄積された前記運転状況を参照して前記同乗者が前記運転者の前記運転パターンで過去に運転したことがあるかどうかを含む同乗者運転情報を抽出する運転状況判定部（３１）と、前記運転者の前記運転パターンの判定結果と前記同乗者運転情報に基づいて運転状況説明を生成する運転状況説明生成部（３５）と、を備える。
【０００９】
本発明のさらに別の態様は、運転状況説明システムである。この運転状況説明システムは、車両側の運転状況通知装置（１００）とサーバ側の運転状況判定装置（２００）がネットワークを介して接続された運転状況説明システムである。前記運転状況通知装置（１００）は、車両内の音声に同乗者の指摘音声が含まれるかどうかを判定する音声認識部（１６）と、前記車両内の音声に同乗者の指摘音声が含まれる場合、車両の走行情報を含む運転者の運転状況と運転者識別情報と同乗者識別情報を取得して、前記運転状況判定装置（２００）に送信する運転状況取得部（１７）と、前記運転状況判定装置（２００）から受信された運転状況説明を音声で出力する音声出力部（１８）と、を備える。前記運転状況判定装置（２００）は、前記車両の運転者毎に運転状況を蓄積したデータベース（３２）と、前記運転状況通知装置（１００）から受信された前記運転者の前記運転状況に基づいて前記運転者の運転パターンを判定するとともに、前記同乗者識別情報に基づいて前記データベースに蓄積された前記運転状況を参照して前記同乗者が前記運転者の前記運転パターンで過去に運転したことがあるかどうかを含む同乗者運転情報を抽出する運転状況判定部（３１）と、前記運転者の前記運転パターンの判定結果と前記同乗者運転情報に基づいて運転状況説明を生成し、前記運転状況通知装置（１００）に送信する運転状況説明生成部（３５）と、を備える。
【００１０】
本発明のさらに別の態様は、運転状況判定方法である。この方法は、車両の走行情報を含む運転者の運転状況に基づいて前記運転者の運転パターンを判定するとともに、車両の運転者毎に運転状況を蓄積したデータベースを同乗者識別情報に基づいて参照して、前記同乗者が前記運転者の前記運転パターンで過去に運転したことがあるかどうかを含む同乗者運転情報を抽出する運転状況判定ステップと、前記運転者の前記運転パターンの判定結果と前記同乗者運転情報に基づいて運転状況説明を生成する運転状況説明生成ステップと、を備える。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、運転状況を客観的に説明することで運転者のストレスを軽減することができる。
【図面の簡単な説明】
【００１３】
【図１】実施の形態に係る運転状況説明システムの構成図である。
【図２】実施の形態の運転状況説明システムによる運転状況説明手順を示すフローチャートである。
【図３】図２の運転パターン設定処理の詳細な手順を示すフローチャートである。
【図４】図１の運転状況説明テーブルの例を説明する図である。
【発明を実施するための形態】
【００１４】
図１は、実施の形態に係る運転状況説明システムの構成図である。運転状況通知装置１００と運転状況判定装置２００は無線などのネットワーク３０を介して接続される。複数の車両側の運転状況通知装置１００とサーバ側の運転状況判定装置２００がネットワーク３０を介して互いにデータをやりとりすることで、複数の車両の運転状況を管理するシステムが構築される。
【００１５】
運転状況通知装置１００は、車両に搭載されるカーナビゲーションシステム、カーオーディオシステム、ドライブレコーダの機能の一部として、あるいは車両の運転者や同乗者が車両に持ち込んで使用する携帯電話や携帯端末の機能の一部として実装される。
【００１６】
撮像部１１は、車両の周囲の画像を撮影し、映像データを運転状況取得部１７へ渡す。車両にカメラが複数台設けられてもよく、車両の前方、側方、後方の画像を含め、全周囲の画像を取得してもよい。
【００１７】
位置情報取得部１２は、ＧＰＳ（Global Positioning System）などの位置情報センサから車両の現在位置を取得し、位置情報を運転状況取得部１７へ渡す。
【００１８】
走行状態取得部１３は、車速センサ１３ｂや加速度センサ１３ａを含み、速度データ、加速度データを取得し、走行速度を含む走行情報を運転状況取得部１７へ渡す。走行情報としてアクセル操作、ブレーキ操作、ハンドル操作などの運転操作に関するデータをさらに加えてもよい。
【００１９】
個人識別部１４は、運転者と同乗者を識別し、運転者識別情報と同乗者識別情報を音声認識部１６と運転状況取得部１７に渡す。個人の識別は、車内カメラの撮影画像に対する画像認識により実現してもよく、運転者や同乗者がたとえば指紋などの識別情報を自分で入力することで行われてもよい。
【００２０】
音声入力部１５は、車内で集音された音声データを音声認識部１６へ渡す。音声認識部１６は入力された音声データから、指摘音声を検出する。例えば、「危ない」、「注意して」などの運転者の運転内容に言及する言葉があらかじめ登録されており、音声認識された言葉によって指摘音声かどうかを判定してもよい。あるいは、音声のトーンや話す速度などから話者の感情や興奮度合いを識別して指摘音声かどうかを判定してもよい。
【００２１】
音声認識部１６は、音声入力部１５から渡された指摘音声が運転者であるか、または同乗者の音声であるかを、個人識別部１４より渡された運転者識別情報および同乗者識別情報を用いて特定する。指摘音声の発話者の特定は、例えば、声紋などの周波数的な特徴との整合や、指摘音声の音源の方向を検出して着席位置により運転者か同乗者かを識別するなどにより行う。指摘音声が同乗者の音声であった場合、指摘音声検出を運転状況取得部１７に通知する。
【００２２】
運転状況取得部１７は、映像データ、位置データ、速度データ、および加速度データを受け取り、最新の所定時間、たとえば３０秒間のデータを運転状況データとして記憶部１９に保持する。アクセル操作、ブレーキ操作、ハンドル操作などの運転操作データをさらに運転状況データに追加してもよい。
【００２３】
運転状況取得部１７は、音声認識部１６から指摘音声検出の通知を受けた場合、記憶部１９に保持している最新の運転状況データと運転者識別情報と同乗者識別情報を通信部２０およびネットワーク３０を介して運転状況判定装置２００に送信する。
【００２４】
音声出力部１８は、通信部２０およびネットワーク３０を介して運転状況判定装置２００から受信した運転状況説明を音声で出力する。
【００２５】
運転状況判定装置２００は、車両と通信可能なサーバの機能の一部として実装される。サーバは複数の車両と通信可能であり、運転状況判定装置２００は、複数の車両の運転状況を管理することで、運転状況の統計データを分析してより正確な運転状況の判定が可能になる。
【００２６】
データベース３２には、運転者の運転パターンを判定するための判定用データ３３と、運転者毎の運転状況データ３４が蓄積される。運転状況データ３４は、映像データ、位置データ、速度データ、および加速度データを含み、運転者識別情報に対応づけられている。アクセル操作、ブレーキ操作、ハンドル操作などの運転操作データをさらに運転者識別情報に対応づけてもよい。運転状況判定部３１が運転状況通知装置１００から受信した同乗者識別情報に対応づけられた運転状況データ３４をデータベース３２から読み出すことで、運転者の最新の運転状況データを同乗者の過去の運転状況データ３４と比較することができる。
【００２７】
運転状況判定部３１は、ネットワーク３０および通信部３７を介して運転状況通知装置１００から最新の運転状況データと運転者識別情報と同乗者識別情報を受信し、運転者識別情報に対応づけて最新の運転状況データをデータベース３２の運転状況データ３４として記録する。
【００２８】
運転状況判定部３１は、運転者の最新の運転状況データをデータベース３２に蓄積された判定用データ３３と照らし合わせ、運転者の運転パターンを判定する。運転パターンは、段階的に評価する。例えば、運転パターンは１から５までの５段階で判定する。パターン１は最も好ましい適切な運転であり、パターン５は法令等に違反した危険な運転である。法令等で定められた基準からの乖離具合や実際の危険度に応じて、パターン１から５を設定することが好ましい。評価の段階は５段階だけでなく、４段階、６段階など任意の数に変更してもよい。
【００２９】
本実施の形態では、運転パターンは、「段階１（適切）」、「段階２」、「段階３」、「段階４」、「段階５（危険）」のいずれかである。これらの運転パターンは、最も好ましい適切な運転パターンである場合を「段階１（適切）」、法令等に違反した最も危険な運転パターンを「段階５（危険）」として、前述の５段階の運転パターンに対応して段階的に危険度が増すよう設定する。運転状況判定部３１は、判定された運転パターンを運転者の最新の運転状況データに関連づけてデータベース３２に記録する。
【００３０】
判定用データ３３は、運転パターンが「段階１（適切）」、「段階２」、「段階３」、「段階４」、「段階５（危険）」のいずれであるかを判定するための制限速度や交通標識のルールを記述したデータである。たとえば、制限速度を超えた場合を段階５と判定するルール、路上にいる歩行者や自転車と安全な間隔をあけていない、または、徐行していない場合を段階４と判定するルール、一時停止の標識を無視したときに段階５と判定するルールなどがある。
【００３１】
運転状況判定部３１は、運転者の運転パターンが「段階１（適切）」以外の場合、同乗者識別情報と運転者の最新の運転状況データに含まれる位置情報とに基づいて、データベース３２に蓄積された同乗者の同位置における運転状況データ３４を抽出する。運転状況判定部３１は、運転者の最新の運転状況データと同乗者の同位置における運転状況データ３４を比較して、同乗者が過去に、運転者の運転パターンと同様もしくはそれよりも安全度の低い運転パターンの運転をしたこと（「同乗者同様運転情報」と呼ぶ）があるかどうかを判定する。
【００３２】
運転状況判定部３１は、運転者の運転位置と同位置で同乗者が同様の運転パターンで運転した場合に限らず、運転者の運転位置とは異なる場所で同乗者が同様の運転パターンで運転した場合についても同乗者同様運転情報ありと判定してもよい。たとえば、同乗者が運転者とは異なる場所で一時停止を無視して走行したり、路上の自転車の横を制限速度で通過したりすることがあるなどの場合に同乗者同様運転情報ありと判定してもよい。
【００３３】
運転状況判定部３１は、判定された運転者の運転パターンと同乗者同様運転情報を運転状況説明生成部３５に渡す。
【００３４】
運転状況説明生成部３５は、運転状況説明テーブル３６を参照して、運転者の運転パターンと同乗者同様運転情報に対応づけられた運転状況説明を生成し、運転状況説明データを通信部３７とネットワーク３０を介して運転状況通知装置１００に送信する。運転状況説明データの一例は音声データであるが、テキストデータであってもよい。運転状況通知装置１００の音声出力部１８は、通信部２０を介して受信した運転状況説明データを音声出力して、運転者と同乗者に聞かせる。運転状況説明データがテキストデータである場合は、音声出力部１８は、テキストを音声で読み上げて出力してもよい。また、音声とともにテキストをディスプレイに表示してもよい。
【００３５】
図２は、実施の形態の運転状況説明システムによる運転状況説明手順を示すフローチャートである。ここでは、運転状況通知装置１００の音声入力部１５に車内の音声が入力されてから音声出力部１８が運転状況説明の音声を出力するまでの手順を説明する。
【００３６】
運転状況通知装置１００の音声認識部１６は、車内の入力音声を認識し（Ｓ１０１）、入力音声が指摘音声かどうかを識別する（Ｓ１０２）。音声認識部１６が指摘音声を検出した場合（Ｓ１０２のＹｅｓ）、ステップＳ１０３に進み、指摘音声を検出しない場合（Ｓ１０２のＮｏ）、終了する。
【００３７】
音声認識部１６から指摘音声検出を通知された運転状況取得部１７は、記憶部１９に保持している運転者の最新の運転状況データと運転者識別情報と同乗者識別情報をサーバ側の運転状況判定装置２００に送信する（Ｓ１０３）。
【００３８】
サーバ側の運転状況判定装置２００の運転状況判定部３１は、車両側の運転状況通知装置１００の運転状況取得部１７から最新の運転状況データを受信する（Ｓ１０４）。
【００３９】
運転状況判定部３１は、運転者の最新の運転状況データをデータベース３２の判定用データ３３と照らし合わせて解析し、運転者の運転パターンを判定するとともに、データベース３２から同乗者の運転状況データ３４を抽出し、運転者の最新の運転状況データと比較して、同乗者が過去に同様もしくはそれよりも悪い運転パターンで運転をしたことがあるかどうかを判定し、運転者の運転パターンと同乗者同様運転情報を設定する（Ｓ１０５）。
【００４０】
運転状況判定部３１は運転者の最新の運転状況データを運転者識別情報と対応づけてデータベース３２の運転状況データ３４として保存する（Ｓ１０６）。
【００４１】
運転状況説明生成部３５は、運転者の運転パターンと同乗者同様運転情報に基づいて運転状況説明テーブル３６を参照し、運転者の運転パターンと同乗者同様運転情報に対応づけられた運転状況説明を生成し、通信部３７とネットワーク３０を介して運転状況通知装置１００に送信する（Ｓ１０７）。
【００４２】
運転状況通知装置１００の音声出力部１８は、通信部２０により受信された運転状況説明データを音声で出力する（Ｓ１０８）。
【００４３】
図３は、図２のステップＳ１０５の運転パターン設定処理の詳細な手順を示すフローチャートである。
【００４４】
運転状況判定部３１は、映像データ、速度データ、加速度データ、および位置情報を含む運転状況データをデータベース３２の判定用データ３３と照合して解析し、適切な運転かどうかを判定する（Ｓ２０１）。適切な運転であった場合（Ｓ２０１のＹｅｓ）、運転状況判定部３１は運転パターンを「段階１（適切）」に設定し（Ｓ２０２）、終了する。
【００４５】
適切な運転でなかった場合（Ｓ２０１のＮｏ）、運転状況判定部３１は、運転状況データを判定用データ３３と照合して解析し、法令等に対する違反などの段階５の運転パターンだったかどうかを判定する（Ｓ２０３）。段階５に該当する運転であった場合（Ｓ２０３のＹｅｓ）、運転状況判定部３１は運転パターンを「段階５」に設定し（Ｓ２０４）、ステップＳ２１０に進む。
【００４６】
段階５に該当する運転パターンでなかった場合（Ｓ２０３のＮｏ）、運転状況判定部３１は、運転状況データを判定用データ３３と照合して解析し、段階４に該当する運転だったかどうかを判定する（Ｓ２０５）。段階４に該当する運転であった場合（Ｓ２０５のＹｅｓ）、運転状況判定部３１は運転パターンを「段階４」に設定し（Ｓ２０６）、ステップＳ２１０に進む。
【００４７】
段階４に該当する運転パターンでなかった場合（Ｓ２０５のＮｏ）、運転状況判定部３１は、運転状況データを判定用データ３３と照合して解析し、段階３に該当する運転かどうかを判定する（Ｓ２０７）。段階３に該当する運転だった場合（Ｓ２０７のＹｅｓ）、運転状況判定部３１は運転パターンを「段階３」に設定し（Ｓ２０８）、ステップＳ２１０に進む。
【００４８】
段階３に該当する運転でなかった場合（Ｓ２０７のＮｏ）、運転状況判定部３１は運転パターンを「段階２」に設定し（Ｓ２０９）、ステップＳ２１０に進む。
【００４９】
運転パターンが「段階１（適切）」以外の場合、運転状況判定部３１は、同乗者識別情報に基づいてデータベース３２の運転状況データ３４を参照し、同乗者が過去に同じ地点で同様の運転パターンの履歴があるかどうかを判定する（Ｓ２１０）。同乗者に同様の運転パターンの履歴があった場合（Ｓ２１０のＹｅｓ）、運転状況判定部３１は同乗者同様運転情報を「あり」に設定する（Ｓ２１１）。同乗者に同様の運転パターンの履歴がない場合（Ｓ２１０のＮｏ）、運転状況判定部３１は同乗者同様運転情報を「なし」に設定する（Ｓ２１２）。
【００５０】
ステップＳ２１０において同乗者同様運転情報の有無の判定は、運転パターンが一致した時だけでなく、「段階５」、「段階４」、「段階３」、「段階２」の順番において、同乗者の運転パターンが運転者の運転パターンより「段階５」に近かった場合も、同乗者同様運転情報ありとする。例えば、運転者の運転パターンが「段階４」で同乗者の運転パターンが「段階５」の場合は、同乗者同様運転情報ありとする。これにより、同乗者が運転者よりも悪い運転をしていた場合も含めて、同乗者にも運転者に似た運転情報がある旨を運転者と同乗者に通知することができる。
【００５１】
運転者の運転パターンと同乗者同様運転情報の設定の具体例をいくつか説明する。
【００５２】
例１  運転パターン「段階５」、同乗者同様運転情報「なし」の場合
・運転者：
制限速度４０ｋｍ／ｈの道路を６０ｋｍ／ｈで走行した場合、運転パターン「段階５」と判定する。
・同乗者：
同じ地点で運転パターン「段階１（適切）」の履歴がある、すなわち、過去に同じ地点を制限速度以内で走行し、運転パターン「段階１（適切）」と判定され、データベース３２の同乗者の運転状況データ３４に判定結果が保存された場合、同乗者同様運転情報「なし」と判定する。
【００５３】
例２  運転パターン「段階５」、同乗者同様運転情報「あり」の場合
・運転者：
制限速度４０ｋｍ／ｈの道路を６０ｋｍ／ｈで走行した場合、運転パターン「段階５」と判定する。
・同乗者：
同じ地点で運転パターン「段階５」の履歴がある、すなわち、過去に同じ地点を５０ｋｍ／ｈで走行し、運転パターン「段階５」と判定され、同乗者の運転状況データ３４に判定結果が保存された場合、同乗者同様運転情報「あり」と判定する。
【００５４】
例３  運転パターン「段階５」、同乗者同様運転情報「あり」の場合
・運転者：
一時停止を無視した場合、運転パターン「段階５」と判定する。
・同乗者：
同じ地点で運転パターン「段階５」の履歴がある、すなわち、過去に同じ地点で一時停止を無視して、運転パターン「段階５」と判定され、同乗者の運転状況データ３４に判定結果が保存された場合、同乗者同様運転情報「あり」と判定する。
【００５５】
例４  運転パターン「段階４」、同乗者同様運転情報「あり」の場合
・運転者：
制限速度３０ｋｍ／ｈの道路で、歩行者の横を３０ｋｍ／ｈで走行した場合、運転パターン「段階４」と判定する。
・同乗者：
同じ地点で運転パターン「段階５」の履歴がある、すなわち、過去に同じ地点を３５ｋｍ／ｈで走行し、運転パターン「段階５」と判定され、同乗者の運転状況データ３４に判定結果が保存された場合、同乗者同様運転情報「あり」と判定する。
【００５６】
図４は、運転状況説明テーブル３６の例を説明する図である。運転者の運転パターンと同乗者同様運転情報に対応づけて運転状況説明が格納されている。運転状況説明はテキストデータであっても音声データであってもよい。
【００５７】
運転者の運転パターンが「段階１（適切）」の場合、同乗者同様運転情報の有無に関係なく、「今の運転は適切です。」という運転状況説明が対応づけられる。
【００５８】
運転者の運転パターンが「段階５」で同乗者同様運転情報なしの場合、「今の運転は大変危険です。」という運転状況説明が対応づけられる。
【００５９】
運転者の運転パターンが「段階５」で同乗者同様運転情報ありの場合、「今の運転は大変危険です。ただし、同乗者も過去に同じ運転をしました。」という運転状況説明が対応づけられる。
【００６０】
運転者の運転パターンが「段階４」で同乗者同様運転情報なしの場合、「今の運転は危険です。」という運転状況説明が対応づけられる。
【００６１】
運転者の運転パターンが「段階４」で同乗者同様運転情報ありの場合、「今の運転は危険です。ただし、同乗者も過去に同じ運転をしました。」という運転状況説明が対応づけられる。
【００６２】
運転者の運転パターンが「段階３」で同乗者同様運転情報なしの場合、「今の運転は不適切です。」という運転状況説明が対応づけられる。
【００６３】
運転者の運転パターンが「段階３」で同乗者同様運転情報ありの場合、「今の運転は不適切です。ただし、同乗者も過去に同じ運転をしました。」という運転状況説明が対応づけられる。
【００６４】
運転者の運転パターンが「段階２」で同乗者同様運転情報なしの場合、「今の運転は適切ではありません。」という運転状況説明が対応づけられる。
【００６５】
運転者の運転パターンが「段階２」で同乗者同様運転情報ありの場合、「今の運転は適切ではありません。ただし、同乗者も過去に同じ運転をしました。」という運転状況説明が対応づけられる。
【００６６】
以上説明したように、本実施の形態の運転状況説明システムによれば、運転者が自分の運転を同乗者に指摘や注意をされた時に、運転者の運転状況を客観的に判定した上で、運転状況の評価結果とともに、同乗者が過去に同様の運転をしたことがある場合にそのことを音声で出力する。これにより、運転者と同乗者の間の感情の対立を解消し、運転者のイライラなどのストレスを軽減し、事故防止につながる。
【００６７】
以上、本発明を実施の形態をもとに説明した。実施の形態は例示であり、それらの各構成要素や各処理プロセスの組合せにいろいろな変形例が可能なこと、またそうした変形例も本発明の範囲にあることは当業者に理解されるところである。
【００６８】
上記の実施例では、車両側の運転状況通知装置１００とサーバ側の運転状況判定装置２００がネットワーク３０で接続された運転状況説明システムの構成を説明したが、サーバ側の運転状況判定装置２００の少なくとも一部の機能を車両側の運転状況通知装置１００に実装してもよい。たとえば、運転状況判定装置２００の運転状況説明生成部３５および運転状況説明テーブル３６の構成を運転状況通知装置１００に設け、運転状況通知装置１００に設けられた運転状況説明生成部３５が、運転状況判定装置２００の運転状況判定部３１から運転パターンの判定結果と同乗者同様運転情報を受信し、運転状況説明テーブル３６を参照して運転状況説明を生成し、音声出力部１８に渡してもよい。
【００６９】
なお、実施の形態で説明した各装置の機能構成はハードウェア資源またはソフトウェア資源により、あるいはハードウェア資源とソフトウェア資源の協働により実現できる。ハードウェア資源としてプロセッサ、ＲＯＭ、ＲＡＭ、その他のＬＳＩを利用できる。ソフトウェア資源としてオペレーティングシステム、アプリケーション等のプログラムを利用できる。
【符号の説明】
【００７０】
１１  撮像部、  １２  位置情報取得部、  １３  走行状態取得部、  １４  個人識別部、  １５  音声入力部、  １６  音声認識部、  １７  運転状況取得部、  １８  音声出力部、  １９  記憶部、  ２０  通信部、  ３０  ネットワーク、  ３１  運転状況判定部、  ３２  データベース、  ３３  判定用データ、  ３４  運転状況データ、  ３５  運転状況説明生成部、  ３６  運転状況説明テーブル、  ３７  通信部、  １００  運転状況通知装置、  ２００  運転状況判定装置。
【図１】
2020160682.tif 000003
【図２】
2020160682.tif 000004
【図３】
2020160682.tif 000005
【図４】
2020160682.tif 000006